(57)【要約】【課題】ダンボールケース等の内側にビニ−ル袋やポリ袋等を内袋として装填する場合に、ダンボールケースの隅々まで内袋を密着させて装填することが出来る内袋装填装置を提供する。【解決手段】エアー供給手段２と、エアー排出手段３ａ〜３ｄと、で構成されており、エアー供給手段２は、前記エアー排出手段３ａ〜３ｄにエアーを供給する手段であり、エアー排出手段は、第一エアー排出部３ａと、第二エアー排出部３ｂと、第三エアー排出部３ｃと、第四エアー排出部３ｄと、から構成されている。エアー排出手段によって内袋の内部にエアーを噴出すことが出来、箱の内側に内袋を密着させて装填することが出来る。【選択図】図１
2015110432.tif 000002
【特許請求の範囲】
【請求項１】
箱の内側に内袋を装填する装置であって、
エアー供給手段と、エアー排出手段と、で構成され、
前記エアー供給手段は、前記エアー排出手段にエアーを供給する手段であって、
エアー排出手段は、前記箱の４隅に対応する位置にそれぞれ配置された４個のエアー排出部から構成され、
前記４個のエアー排出部に前記内袋を被せ、更に内袋の外側に前記箱を被せて箱の内側に内袋を装填することを特徴とする内袋装填装置。
【請求項２】
前記４個のエアー排出部の内、３個のエアー排出部はその他の１個のエアー排出部に対して近づき又は遠ざかるように移動可能に構成されていることを特徴とする請求項１に記載の内袋装填装置。
【請求項３】
前記エアー排出手段は、固定機構を備えたことを特徴とする請求項１または２に記載の内袋装填装置。
【請求項４】
前記エアー供給手段はエアー供給のＯＮ―ＯＦＦ切り替え機能を有し、前記内袋を装填した前記箱を引き上げる際にエアー供給を行うことを特徴とする請求項１から３のいずれかに記載の内袋装填装置。
【発明の詳細な説明】
【技術分野】
【０００１】
本発明は、ダンボールケース等の内側にビニ−ル袋やポリ袋等をセットする内袋装填装置に関するものである。
【背景技術】
【０００２】
例えば、プラスチック容器又はそれに用いる口栓を搬送する場合に、ダンボールケースの内側にビニ−ル袋やポリ袋等を内袋として装填し、その内袋に上記プラスチック容器や口栓を装填して搬送する。
【０００３】
ダンボールケースの内側にビニ−ル袋やポリ袋等を内袋として装填する場合、ダンボールケースの隅々まで内袋を密着させて装填することが難しく、結果としてダンボールケースと内袋の間に空気が入ってしまったり、ダンボールケースの四隅の部分の内袋にシワが出来る。その結果、この状態でプラスチック容器又は口栓を内袋に詰めこむと、特に四隅の部分では、プラスチック容器又は口栓と内袋が絡みあうことがあった。
【０００４】
そのため、例えばダンボールケースからプラスチック容器に内容物を充填する充填装置に投入する場合に、内袋と絡み合ったプラスチック容器又は口栓が内袋に引っ掛かかって投入できないという問題があった。
【０００５】
また、ダンボールケースの内側にビニ−ル袋やポリ袋等を装填する作業は、人手又は自動で行うが、いずれの場合であっても作業が煩雑で効率が良いものとはいえなかった。
【先行技術文献】
【特許文献】
【０００６】
【特許文献１】特開平１１−１５２１８４号公報
【発明の概要】
【発明が解決しようとする課題】
【０００７】
そこで本発明は、ダンボールケース等の内側にビニ−ル袋やポリ袋等を内袋として装填する場合に、ダンボールケースの隅々まで内袋を密着させて装填することが出来る内袋装填装置を提供することを目的とする。
【課題を解決するための手段】
【０００８】
そこで本発明の請求項１に記載の発明は、
箱の内側に内袋を装填する装置であって、
エアー供給手段と、エアー排出手段と、で構成され、
前記エアー供給手段は、前記エアー排出手段にエアーを供給する手段であって、
エアー排出手段は、前記箱の４隅に対応する位置にそれぞれ配置された４個のエアー排出部から構成され、
前記４個のエアー排出部に前記内袋を被せ、更に内袋の外側に前記箱を被せて箱の内側に内袋を装填することを特徴とする内袋装填装置である。
【０００９】
本発明の請求項２に記載の発明は、
前記４個のエアー排出部の内、３個のエアー排出部はその他の１個のエアー排出部に対して近づき又は遠ざかるように移動可能に構成されていることを特徴とする請求項１に記載の内袋装填装置である。
【００１０】
本発明の請求項３に記載の発明は、
前記エアー排出手段は、固定機構を備えたことを特徴とする請求項１または２に記載の内袋装填装置である。
【００１１】
本発明の請求項４に記載の発明は、
前記エアー供給手段はエアー供給のＯＮ―ＯＦＦ切り替え機能を有し、前記内袋を装填した前記箱を引き上げる際にエアー供給を行うことを特徴とする請求項１から３のいずれかに記載の内袋装填装置である。
【発明の効果】
【００１２】
本発明の請求項１に記載の内袋装填装置によれば、エアー排出手段によって内袋の内部にエアーを噴出すことが出来、その結果箱の内側に内袋を密着させて装填することが出来る。
【００１３】
本発明の請求項２に記載の内袋装填装置によれば、前記エアー排出手段は、前記４個のエアー排出部の内３個が他のエアー排出部に対して近かづき又は遠ざかるように移動可能に構成されているため、箱のサイズ変更に対応することが出来る。
【００１４】
本発明の請求項３に記載の内袋装填装置によれば、前記エアー排出手段は、固定機構を備えているため移動した後に固定することが出来るため、安定して内袋を被せることが可能となる。
【００１５】
本発明の請求項４に記載の内袋装填装置によれば、前記エアー供給手段はエアー供給のＯＮ―ＯＦＦ機能を有しているために、前記内袋を前記エアー排出手段に被せ更にその外側に前記箱を被せた後にエアー供給をＯＮとし、その状態で内袋とその外側に被せた前記箱を引き上げることによって、内袋を箱に装填する作業をし易くすることが出来、作業性を向上することが出来る。
【図面の簡単な説明】
【００１６】
【図１】本発明の内袋装填装置の概略構成を模擬的に示す図。（ａ）は内袋装填装置を上面から見た図。（ｂ）は図（ａ）の矢印１の方向から見た側面図。
【図２】本発明の内袋装填装置を用いて内袋を箱に装填する場合のフローを示す図。
【発明を実施するための形態】
【００１７】
本発明の内袋装填装置の実施形態を図を用いて説明する。
【００１８】
図１は本発明の内袋装填装置の概略構成を模擬的に示す図で、図１（ａ）は内袋装填装置を上面から見た図、図１（ｂ）は矢印１の方向から見た側面図である。本発明の内袋装填装置はエアー供給手段２と、エアー排出手段３ａ〜３ｄと、で構成されている
【００１９】
前記エアー供給手段２は、前記エアー排出手段３ａ〜３ｄにエアーを供給する手段であって、例えばエアーブロアーや工場内に配管されている圧縮エアーを用いることが出来る。尚、エアー供給手段２の手前には図示しないエアーフィルターが設けられており、洗浄されたエアーがエアー排出手段３ａ〜３ｄに送られている。その結果、内袋に収納されるプラスチック容器又はそれに用いる口栓を汚すことはない。
【００２０】
エアー排出手段は、第一エアー排出部３ａと、第二エアー排出部３ｂと、第三エアー排出部３ｃと、第四エアー排出部３ｄと、から構成されている。各エアー排出部は図１では四角柱の形状で側面と上面にエアー排出孔が設けられたものであるが、円柱形状であって
も良い。尚、エアー排出手段からのエアー排出量は、内袋が十分に膨らむ程度とし、エアー供給手段２のエアー供給量を適宜調整して行われる。
【００２１】
前記エアー排出手段は、前記４個のエアー排出部の内３個が他のエアー排出部に対して近かづき又は遠ざかるように移動可能に構成されている。即ち、４つのエアー排出部の内、第二エアー排出部３ｂは矢印４ｂの方向に移動することが出来る。また第三エアー排出部３ｃは矢印４ｃ−１及び４ｃ−２の方向に移動することが出来る。更に第四エアー排出部３ｄは矢印４ｄで示す方向に移動することが出来る。第一エアー排出部３ａは移動することなく、固定されている。
【００２２】
移動可能な第二エアー排出部３ｂには固定機構５ｂが、第三エアー排出部３ｃには固定機構５ｃ−１〜５ｃ−３が、第四エアー排出部３ｄには固定機構５ｄ−１と５ｄ−２が、それぞれ備えられており、移動後の位置で各エアー排出部を固定することが出来る。各固定機構には、一般的に用いられているクランプ装置を使用することが出来る。
【００２３】
このように第一エアー排出部３ａを移動することなく固定し、他の３つのエアー排出部を移動することによって箱のサイズ変更に対応することが出来、各サイズの箱の内袋の装填に適応することが出来る。
【００２４】
エアー供給手段２はエアー供給のＯＮ―ＯＦＦ切り替え機能を有し、ＯＮ―ＯＦＦ切り替え機能によって内袋の外側に被せた箱を引き上げる際にエアー供給を行い、その他の状況ではエアー供給を停止する。こうすることによって内袋を箱に装填する作業がし易くなる。尚、ＯＮ―ＯＦＦは手動、自動のどちらで行っても良い。ＯＮ―ＯＦＦ切り替え機能は一般的に用いられているＯＮ―ＯＦＦスイッチやフットスイッチを使用することが出来る。
【００２５】
図２に本発明の内袋装填装置を用いて内袋を箱に装填する場合のフローを示す。図１及び図２を用いて内袋を箱に装填する場合のフローを説明する。
【００２６】
先ず、エアー供給手段２をＯＦＦとして第二エアー排出部３ｂ、第三エアー排出部３ｃ、第四エアー排出部３ｄを箱のサイズに応じて移動する（Ｓ１）。次に、内袋を第一エアー排出部３ａ、第二エアー排出部３ｂ、第三エアー排出部３ｃ、第四エアー排出部３ｄの外側に被せ（Ｓ２）、その後箱をその内袋の外側に被せ（Ｓ３）、エアー供給手段のエアー供給をＯＮにして、エアーを、第一エアー排出部３ａと、第二エアー排出部３ｂと、第三エアー排出部３ｃと、第四エアー排出部３ｄに供給して内袋を膨らませる（Ｓ４）。次に箱のフラップ（箱の上面にある蓋を指す）に内袋を押さえたままの状態で箱と内袋を各エアー排出部の上方まで持ち上げる（Ｓ５）。その後エアー供給手段２のエアー供給をＯＦＦにして（Ｓ６）、内袋装填は終了する（Ｓ７）。
【００２７】
上記説明した箱はダンボール箱であったり、プラスチック製の箱であったり、その材質に限定されるものではなく、箱形状の物に広く適用することが出来る。
【００２８】
以上のように、本発明の内袋装填装置によれば、箱に内袋を密着させて装填することが出来、その結果従来問題となっていた内袋と絡み合ったプラスチック容器又は口栓が内袋に引っ掛かかって投入できないという問題を解決することが出来る。
【００２９】
また、煩雑であった作業を効率よく行うことが出来る。
【符号の説明】
【００３０】
１・・・図１（ａ）を見る方向
２・・・エアー供給手段
３ａ・・・第一エアー排出部
３ｂ・・・第二エアー排出部
３ｃ・・・第三エアー排出部
３ｄ・・・第四エアー排出部
４ｂ・・・第二エアー排出部３ｂが移動する方向
４ｃ−１、４ｃ−２・・・第三エアー排出部が移動する方向
４ｄ・・・第四エアー排出部が移動する方向
５ｂ・・・第二エアー排出部の固定機構
５ｃ−１〜５ｃ−３・・・第三エアー排出部の固定機構
５ｄ−１、５ｄ−２・・・第四エアー排出部の固定機構
【図１】
2015110432.tif 000003
【図２】
2015110432.tif 000004